(57)【特許請求の範囲】
【請求項１】
ディスク２が回転自在に収容される本体ケース１の一側面８の全長にわたって開口された主面開口５ａと、当該側面８の左右両端に隣接する他側壁６・６の当該側面８寄り部位に開口された左右の側面開口５ｂ・５ｂとからなるディスク出し入れ用の開口部５が設けられており、
本体ケース１に、開口部５を開閉する蓋７が本体ケース１の平面と平行な面上で該蓋７の回動基端側に設けた枢軸２２まわりに水平回動自在に装着されているディスクカートリッジにおいて、
蓋７が、主面開口５ａをこれの内部に入り込んで塞ぐ主面壁９と、この主面壁９の左右両端部から略直角に延出形成されて、左右の側面開口５ｂをこれの内部に入り込んで塞ぐ左右の側面壁１０・１０と、主面壁９の内面側にディスク２の円周に沿うよう円弧状に形成された内周壁１１と、内周壁１１の一端部と片方の側面壁１０の延出側端部とを一体につなぐ回動基端壁１２と、内周壁１１の他端部と他方の側面壁１０の延出側端部とを一体につなぐ回動先端壁１３とを有しており、
前記主面壁９および内周壁１１の左半部と左の側面壁６とで囲まれる部分に、上向き又は下向きに開放されて下面壁１７又は上面壁２０で塞がれた肉抜き凹部１９が形成されており、
前記主面壁９および内周壁１１の右半部と右の側面壁６とで囲まれる部分に、前記肉抜き凹部１９とは反対向きに開放されて上面壁２０又は下面壁１７で塞がれた肉抜き凹部１９が形成されていることを特徴とするディスクカートリッジ。
【発明の詳細な説明】
【０００１】
【発明の属する技術分野】
本発明は、光ディスクや光磁気ディスク等の記録媒体であるディスクがハードケースに出し入れ可能に収容されているディスクカートリッジに関する。
【０００２】
【従来の技術】
この種のディスクカートリッジに、特開平５−２４２６２６号公報に記載のものがある。そこでは、本体ケースの後側端部にディスクを出し入れ可能にするための開口部を有し、この開口部をプラスチック製の蓋で枢軸まわりに開閉するものとしてある。
【０００３】
【発明が解決しようとする課題】
しかるに、上記蓋は開口部をこれの内部に入り込んで塞ぐ部分の全体が厚肉の平板状に形成されているため、重量が大きくなり、不慮に落下事故に遭遇すると蓋の特に枢軸部分が大きな衝撃力で破損するおそれがある。
【０００４】
そこで本発明の目的は、こうした問題を解消するためになされたもので、蓋の軽量化、落下衝撃による破損防止を図れるディスクカートリッジを提供するにある。本発明の目的は、反りやねじれ変形などの成形不良を来すことなく、また剛性を有する蓋の成形を可能にするディスクカートリッジを提供するにある。
【０００５】
【課題を解決するための手段】
本発明のディスクカートリッジは、ディスク２が回転自在に収容される本体ケース１の一側面８の全長にわたって開口された主面開口５ａと、当該側面８の左右両端に隣接する他側壁６・６の当該側面８寄り部位に開口された左右の側面開口５ｂ・５ｂとからなるディスク出し入れ用の開口部５が設けられ、本体ケース１に、開口部５を開閉する蓋７が本体ケース１の平面と平行な面上で該蓋７の回動基端側に設けた枢軸２２まわりに水平回動自在に装着されている。
【０００６】
かかるディスクカートリッジにおいて、本発明では、蓋７が、主面開口５ａをこれの内部に入り込んで塞ぐ主面壁９と、この主面壁９の左右両端部から略直角に延出形成されて、左右の側面開口５ｂをこれの内部に入り込んで塞ぐ左右の側面壁１０・１０と、主面壁９の内面側にディスク２の円周に沿うよう円弧状に形成された内周壁１１と、内周壁１１の一端部と片方の側面壁１０の延出側端部とを一体につなぐ回動基端壁１２と、内周壁１１の他端部と他方の側面壁１０の延出側端部とを一体につなぐ回動先端壁１３とを有する。そして、前記主面壁９および内周壁１１の左半部と左の側面壁６とで囲まれる部分に、上向き又は下向きに開放されて下面壁１７又は上面壁２０で塞がれた肉抜き凹部１９が形成され、前記主面壁９および内周壁１１の右半部と右の側面壁６とで囲まれる部分に、前記肉抜き凹部１９とは反対向きに開放されて上面壁２０又は下面壁１７で塞がれた肉抜き凹部１９が形成されていることを特徴とする。
【０００７】
【作用】
蓋７は、これ全体が厚肉の平板状に形成されたものに比べ、左右の肉抜き凹部１９を設けている分だけ軽量になり、落下衝撃による蓋７の特に枢軸２２部分の破損を減少できる。左右の肉抜き凹部１９の一方は下面壁１７で塞がれて上向き開放状に、他方は上面壁２０で塞がれて下向き開放状に形成するに代えて、左右の肉抜き凹部１９・１９を共に上向き又は下向きの同じ向きに開放する形に形成することも考えられる。しかし、この後者の肉抜き形態では射出成形時に収縮差により反りやねじれを発生しやすいが、前者の肉抜き形態によれば、蓋７の各部における収縮差をできる限り小さくすることができてそうした反りやねじれの変形をよく防止できる。
【０００８】
【発明の実施の形態】
図１は本発明に係るディスクカートリッジの要部を開蓋状態で示す平面図、図２はディスクカートリッジ全体の平面図、図３は蓋の斜視図、図４は図３におけるＡ−Ａ線断面図、図５は図２におけるＢ−Ｂ線拡大断面図である。図１および図２においてディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなり、上ケース１ａおよび下ケース１ｂの前側部の左右方向中央部から後方に向けて信号読書窓３を開口し、この窓３を左右にスライド開閉するシャッター４で塞いでいる。
【０００９】
本体ケース１の後端部にはディスク２を出し入れするための開口部５を設けてある。ディスクカートリッジはこれ全体のコンパクト化を図るために、本体ケース１の左右幅寸法とディスク２の直径寸法とを可及的に接近して設定する。このため、開口部５は、本体ケース１の後側面８の左右全長にわたって形成される主面開口５ａと、本体ケース１の左右側壁６・６の後端側のみに開口した側面開口５ｂ・５ｂとで、平面視においてコ字状に開口する。開口部５はプラスチック製の蓋７で開閉される。
【００１０】
図３および図４において、蓋７は主面開口５ａの内部に入り込んでこれを塞ぐ形に形成された主面壁９を有し、更に主面壁９の左右方向の両端から前方へ略直角に延出形成されて、左右の側面開口５ｂの内部に入り込んでこれを塞ぐ側面壁１０を有する。側面壁１０の外側面には、本体ケース１の後端寄りに設けた位置決め用の凹部１４に対応するコ字状の切欠部１５を設ける。この切欠部１５は開蓋時に指掛け用凹部に利用できる。図示例のように指掛け用凹部１６は別に主面壁９に設けてもよい。主面壁９の内面側には、ディスク２の円周に沿うよう円弧状に形成されて該ディスク２の開口部５方向への移動を規制するための内周壁１１が一体に形成されるが、この内周壁１１の左右の前端部と左右の側面壁１０・１０の各前端部とは前記主面壁９と略平行な回動基端壁１２および回動先端壁１３でそれぞれ一体につながれる。これら主面壁９、内周壁１１および側面壁１０で囲まれる部分は左右に二分し、その一方は上向きに開放されて下面壁１７で塞がれる形の肉抜き凹部１９が形成され、他方は下向きに開放されて上面壁２０で塞がれる形の肉抜き凹部１９が形成される。肉抜き凹部１９の内部は必要に応じて補強リブ２１で縦横に仕切られる。片方の側面壁１０と回動基端壁１２の交わるコーナ部またはこの近傍位置から枢軸２２を上下方向へ一体に突出成形する。
【００１１】
このように左右に肉抜き凹部１９を設けることにより、蓋７の重量軽減および材料節減を図ることができ、そればかりか左右の肉抜き凹部１９・１９が互いに上下逆向きに開放する形に形成されることにより、射出成形に際して反りやねじれ変形の成形不良を来すことなく、寸法精度、強度のよい蓋成形品を得ることができた。
【００１２】
図１に示すように、このように成形された蓋７はこの枢軸２２の上下端を上下ケース１ａ・１ｂの各左右側壁６の後端の近傍位置に凹設した軸孔（図示省略）に可回動に係合することにより、本体ケース１に組み込まれる。かくして蓋７は、開口部５の主面開口５ａおよび側面開口５ｂを塞ぐ閉じ姿勢と、枢軸２２を中心にして本体ケース１の平面と平行な面上で９０度以上に水平回動して主面開口５ａを開放する全開姿勢とにわたって切り換え自在である。
【００１３】
蓋７は不用意に開かないように閉じ姿勢に保持するロック手段を有する。図２および図５に示すように、このロック手段は回動先端壁１３の上端から弾性変形自在なロック片２３を前方へ一体に延出し、このロック片２３の先端に逆止爪２３ａを上向きに設ける。一方、上ケース１ａの上壁２４の内面には、蓋７が閉じたとき前期逆止爪２３ａが係合する係合凹部２５を設ける。上壁２４の前記係合凹部２５の後方部位には、スリット２６をコの字形状に入れて押圧壁片２７を本体ケース１の内外方向に弾性変形自在に上壁２４につなぎ部２８を介して一体形成する。しかるときは、常態時、蓋７はロック片２３の逆止爪２３ａが係合凹部２５に係合することで閉じ状態に保持され、不用意に開くようなことがない。ディスク２を交換等のために出し入れするときは、押圧壁片２７を本体ケース１の内方へ押圧して逆止爪２３ａが係合凹部２５から外れるように押圧し、回動先端側の切欠部１５または指掛け用凹部１６に指先を掛けて枢軸２２まわりに９０度以上水平回動させることで主面開口５ａが全開し、ディスク２の出し入れを可能にする。ディスク２の交換後、蓋７は前記と反対向きに水平回動させることにより、ロック片２３の弾性を介して逆止爪２３ａが係合凹部２５に係合する閉じロック状態を得る。
なお、開口部５は本体ケース１の後側面８以外に、左右側壁６・６のいずれか一方に設けることもできる。
【００１４】
【発明の効果】
本発明によれば、開口部５を開閉する蓋７は左右に肉抜き凹部１９を設けて重量を軽減しているので、不慮の落下衝撃による蓋７の特に枢軸２２部分の破損を防止でき、耐久性に優れる。とくに、左右の肉抜き凹部１９の一方は上向きに開放されて下面壁１７で塞がれる形に、他方は下向きに開放されて上面壁２０で塞がれる形に形成することにより、蓋７全体および各部に反りやねじれ変形が生じることなく、寸法精度、強度に優れる蓋成形品を得ることができて有利である。
【図面の簡単な説明】
【図１】ディスクカートリッジの要部を開蓋状態で示す平面図である。
【図２】ディスクカートリッジ全体を一部破断状態で示す平面図である。
【図３】蓋の斜視図である。
【図４】図３におけるＡ−Ａ線断面図である。
【図５】図２におけるＢ−Ｂ線拡大断面図である。
【符号の説明】
１  本体ケース
２  ディスク
５  開口部
５ａ  主面開口
５ｂ  側面開口
７  蓋
９  主面壁
１０  側面壁
１１  内周壁
１７  下面壁
１９  肉抜き凹部
２０  上面壁
２２  枢軸
【図１】
0003560198.tif 000002
【図２】
0003560198.tif 000003
【図３】
0003560198.tif 000004
【図４】
0003560198.tif 000005
【図５】
0003560198.tif 000006